(57)【要約】  本発明のタバコ・パケットは、タバコ(2)の群(3)を収容する収容器(5)であって、該タバコ(2)の群(3)に対するアクセスを与える領域(Z1)を画成する開口(6)を備えるという収容器(5)を備え；上記収容器(5)は、上記パケット(1)が閉じられる位置と、それが開けられた位置であって、上記領域(Z1)に対するアクセスを許容して上記タバコ(2)の群(3)に対するアクセスを与えるという位置との間で移動可能なカバー要素(7)を備え；上記パケット(1)は、上記アクセス領域(Z1)に配置された鏡映要素(8)であって、少なくともその一部分に鏡映表面(9)を有するという鏡映要素(8)を備え、且つ、上記カバー要素(7)は、少なくともその内側表面(13)の一部分に少なくとも一つのグラフィック記号(10)を有し；上記内側表面の上記部分(13)は、上記パケット(1)が開けられたとき、上記グラフィック記号(10)が上記鏡映表面(9)上で反射されて喫煙者に対して視認可能となる如き様式で、実質的に、同一の鏡映表面(9)に対向する状態へともたらされる。【選択図】図１
2015524369.tif 000002
【特許請求の範囲】
【請求項１】
タバコ(2)の群(3)を収容する収容器(5)であって、該タバコ(2)の群(3)に対するアクセスを与える領域(Z1)を画成する開口(6)を備えるという収容器(5)と、前記収容器(5)に対して接続されて前記アクセス領域(Z1)をカバーする要素(7)とを備えるタバコ・パケットであって、前記収容器(5)および前記カバー要素(7)は、当該パケット(1)が開けられた位置と、それが閉じられた位置との間で往復的に移動可能であるというタバコ・パケットにおいて、
前記パケット(1)は、前記アクセス領域(Z1)に配置された鏡映要素(8)であって、少なくともその一部分に鏡映表面(9)を有するという鏡映要素(8)を備え、
前記カバー要素(7)は、少なくともその内側表面(13)の一部分に少なくとも一つのグラフィック記号(10)を有し、
前記内側表面の前記部分(13)は、前記パケット(1)が開けられたとき、前記グラフィック記号(10)が前記鏡映表面(9)上で反射されて喫煙者に対して視認可能となる如き様式で、実質的に、同一の鏡映表面(9)に対向する状態へともたらされることを特徴とする、タバコ・パケット。
【請求項２】
前記タバコ(2)の群(3)は包装材料製の包装材(4)内に囲繞され、且つ、前記鏡映要素(8)は前記包装材(4)の一部であることを特徴とする、請求項１に記載のパケット。
【請求項３】
前記鏡映要素(8)は密封可能ラベル(12)により画成されることを特徴とする、請求項２に記載のパケット。
【請求項４】
前記鏡映要素(8)は前記包装材(4)の除去可能部分により画成されることを特徴とする、請求項２に記載のパケット。
【請求項５】
前記グラフィック記号(10)は、前記カバー要素(7)の前記内側表面(13)に対して適用された補強フラップ(11)であって、同一の内側表面(13)を少なくとも部分的に画成するという補強フラップ(11)上に再現されることを特徴とする、請求項１から４のいずれか一つの請求項に記載のパケット。
【請求項６】
少なくとも一つのグラフィック記号(10)は、前記カバー要素(7)の前記内側表面(13)上に鏡映的に再現されることを特徴とする、請求項１から５のいずれか一つの請求項に記載のパケット。
【請求項７】
少なくとも一つのグラフィック記号(10)は歪像的な形式であることを特徴とする、請求項１から６のいずれか一つの請求項に記載のパケット。
【請求項８】
前記鏡映要素(8)は、前記鏡映表面(9)上に再現されたホログラフ形式の少なくとも一つのグラフィック記号(10)を有することを特徴とする、請求項１から７のいずれか一つの請求項に記載のパケット。
【請求項９】
前記カバー要素(7)は、前記収容器(5)に対して枢着された蓋体により画成されることを特徴とする、請求項１から８のいずれか一つの請求項に記載のパケット。
【発明の詳細な説明】
【技術分野】
【０００１】
本発明は、タバコ・パケットに関する。
【背景技術】
【０００２】
公知の如く、タバコの製造者は、特にブランド名である情報の他にも広告および他の種類の情報を伝えるために、自身のタバコ・パケット上に再現されたグラフィックスを使用する。
【０００３】
また、多くの国々における現在の健康関連規則は、喫煙者の健康を保護するために当該タバコ・パケット上に印刷された警告であって、一般的には単に“健康警告(health warning)”としても知られるという警告をタバコ・パケットが有する必要があることも知られている。
【０００４】
写真または記載文言であり得るこれらの警告は、主として、上記パケットの大寸面上に出現する枠状領域内に印刷される。
【０００５】
喫煙者に対して明確に視認可能であるために、“健康警告”を含む枠状領域は、パケット上で利用可能なスペースであって、パケットの各面、特にその大寸面の延在範囲により限定されるというスペースの大部分を占有する。
【０００６】
その故に、上述の他の情報に対して利用できるスペースは、相当に減少される。
【０００７】
この欠点を克服するために、所望の情報が自身上に印刷された紙製クーポン(paper coupon)が使用される。上記クーポンは、パケットが開かれるとすぐに喫煙者が該クーポンを認識する如き様式で、上記パケット内に挿入される。
【０００８】
しかし、これらのクーポンを使用すると、材料に対するコストが高くなると共に、包装機械の複雑さが増大する、と言うのも、クーポンはパケット内に挿入されるべきだからである。
【発明の概要】
【発明が解決しようとする課題】
【０００９】
故に、本発明の目的は、上述の先行技術の欠点を克服するタバコ・パケットを提供することである。
【００１０】
更に詳細には、本発明の目的は、利用可能スペースの大部分を活用することにより、且つ、上記機械の構造的な複雑さを増大することなく、所望の情報または広告が喫煙者に対して伝えられることを許容するタバコ・パケットを提供することである。
【課題を解決するための手段】
【００１１】
本発明に依れば、この目的は、独立請求項１に示された技術的特徴を有するタバコ・パケットにより達成される。
【００１２】
従属請求項は、本発明に係るパケットの他の有用な見地を示している。
【００１３】
本発明のこれらのおよび他の革新的な特徴、ならびに、それにより達成される利点は、添付図面中に例示的にのみ示されたその好適な非限定的実施形態に関する以下の詳細な説明から更に明らかとなろう。
【図面の簡単な説明】
【００１４】
【図１】他の部分を更に良好に示すべく幾つかの部分が破断された本発明に係るパケットを第1形態で示す前面図である。
【図２】図１のパケットの第2形態における前面図である。
【図３】図１のパケットの変更実施形態の斜視図である。
【発明を実施するための形態】
【００１５】
図１に示された如く、番号1は、タバコ2の群3を収容するパケット全体を表している。
【００１６】
パケット1は、タバコ2の群3を収容する収容器5であって、タバコ2の群3に対するアクセスを与える領域Z1を画成する開口6を有するという収容器5を備える。
【００１７】
タバコ2の群3は、包装材料製の包装材4内に囲繞される。
【００１８】
更に詳細には、包装材4は、各タバコ2が取り出され得る領域Z2を画成する開口16を備えている。
【００１９】
パケット1はまた、収容器5に対して枢着された蓋体7であって、該収容器に対し、開口6に関する開き位置と閉じ位置との間で移動可能であるという蓋体7も備える。
【００２０】
更に詳細には、蓋体7は、パケット1およびアクセス領域Z1の両方のカバー要素(covering element)を構成する。
【００２１】
更に概略的な用語において、且つ、例示的にのみ示されたものとは異なるパケットに対し、“カバー要素”とは、カバー要素7および収容器5が、パケット1が開けられた位置と、それが閉じられた位置との間で相互に対して移動可能である如き様式で、収容器5に接続されたパケット1の任意の要素もしくは部分を意味すべく使用されることを銘記すべきである。
【００２２】
収容器5および蓋体7は好適には強靱な紙材料で作成されるが、タバコ2の群3を囲繞すべく使用される上記包装材料は、例えば、箔体、熱シール可能なプラスチック、または、紙材であり得る。
【００２３】
パケット1は更に、少なくとも当該鏡映要素の一部分に鏡映表面9を有するという鏡映要素8を備える。
【００２４】
鏡映要素8は、領域Z1に配置されて、タバコ2の群3に対するアクセスを与える。
【００２５】
更に詳細には、パケット1の一実施形態において、鏡映要素8は、タバコ2が取り出され得る上述の領域Z2に配置される。
【００２６】
厳密には、“鏡映表面”という語句は、表面9が光および画像の両方を反射し得ることを意味する。
【００２７】
更に詳細には、鏡映要素8は、タバコ2の群3を収容する包装材4の一部と見做されるべきである。
【００２８】
添付図面中に示された好適実施形態において、鏡映要素8は密封可能ラベル12により画成される。
【００２９】
図示されない別実施形態において、鏡映要素8は、タバコ2を取り出すためにパケット1が初めて開かれたときに破り取られる包装材4の除去可能部分であり得る。
【００３０】
図３に示されたパケット1の更なる実施形態において、収容器5は内側フレーム17を備えている。
【００３１】
内側フレーム17は、この場合において領域Z1を画成してタバコ2の群3に対するアクセスを与える開口18を備えている。
【００３２】
鏡映要素8には、例えば、それに対して適用された反射材料の形態の内側フレーム17が組み合わされ得ることを銘記すべきである。代替的に、図示された如く、収容器5が内側フレーム17を備えるが、先の実施形態における如く、鏡映要素8は包装材4の一部である。
【００３３】
此処まで記述された如く、鏡映表面9は鏡映要素8の一部上にのみ配置され得るか、または、鏡映要素8の全体が鏡映表面であり得る。
【００３４】
代替的に、包装材4の表面全体が鏡映表面であり得る。
【００３５】
更に、図１に示された如く、全開で示された蓋体7は、少なくともその内側表面13の一部分に、少なくとも一つのグラフィック記号10を有する。
【００３６】
更に厳密には、グラフィック記号10によれば、文字、または、例えば記号もしくはロゴなどの画像が意味される。
【００３７】
これらのグラフィック記号10は、単なる美観的機能を有することに加え、喫煙者に対して伝達されるべき広告もしくは警告の如き多様な種類の情報を含み得る。
【００３８】
故に本発明に依れば、蓋体7の内側表面13上に印刷されたグラフィック記号10を、鏡映要素8の反射特性に依り視認可能とすることにより、喫煙者に対して“情報を伝える”ことが可能である。
【００３９】
実際、パケット1が初めて開けられたとき、内側表面13上に印刷された記号もしくは文字は、鏡映要素8の鏡映表面9上で反射され、喫煙者に対して“視認可能”となるか、または、それに対して喫煙者の注意を引く。
【００４０】
蓋体7が部分的に開けられたパケット1の第2形態を示す図２において、内側表面13上に印刷されたグラフィック記号10の反射画像は10'と参照番号が付される。
【００４１】
同様に、パケット1が開けられたときに正しく反射されるべく、グラフィック記号10は、鏡映表面9に対向せねばならない。
【００４２】
故に、好適実施形態において、これらのグラフィック記号10は蓋体7の前内側面14上に印刷される。
【００４３】
その様にして、パケット1が開けられたときに面14は鏡映表面9に対向し、該面14上に印刷されたグラフィック記号10が反射されることを許容する。
【００４４】
図示実施形態の特定の場合において、蓋体7の前面14および収容器5の前面15によれば、夫々、上記枢着部により相互に対して接続された蓋体7および収容器5の夫々の面とは逆側であるパケット1の各面が意味される。
【００４５】
この場合も、更に概略的な語句において、図示されたものとは異なるパケットに対し、蓋体7すなわちカバー要素は、タバコ2の群3を収容する収容器5の異なる面もしくは部分に対して接続され得ることを銘記すべきである。
【００４６】
パケット1が開けられたとき、蓋体7の、すなわち、カバー要素の内側表面13が実質的に鏡映表面9に対向する位置にもたらされる如き様式で、グラフィック記号10は、表面13の任意の部分上に印刷され得ることが理解される。
【００４７】
その様にして、上述のグラフィック記号10は、鏡映表面9上での反射により、喫煙者に対して直ちに視認可能とされる。同様に、鏡映表面9は、前面15とは異なる収容器5の面上、または好適には、包装材4の面上にも配置され得るが、グラフィック記号10を正しく反射し得るべきであり、グラフィック記号10が印刷される蓋体7の部分、および、鏡映表面9が配置される面は、それらが相互に対して実質的に対向する状態にもたらされねばならない。
【００４８】
図示された好適実施形態において、グラフィック記号10は蓋体7の内側表面13に対して適用された補強フラップ11上に印刷されると共に、この理由の故に、フラップ11は同一の内側表面13を少なくとも部分的に画成する。更に詳細には、補強フラップ11は、内側表面13の前内側面14に対して適用される。
【００４９】
更に、各グラフィック記号10は種々の形式であり得る。
【００５０】
まず第1に、それらの内の少なくとも一つは、喫煙者が、鏡映表面9上で反射された該記号の画像10'(図２)を通して該記号を正しく読み取りまたは認識し得る如き様式で、内側表面13上に、この特定の場合においては補強フラップ11(図１)上に、鏡映的に印刷され得る。
【００５１】
同様に、特に英数字で構成されると共に記述情報を再現する如き他の一つ以上のグラフィック記号10は、蓋体7が全開とされたとき(図１)にのみ正しく視認可能かつ判読可能とされるべく、非鏡映的に印刷され得る。
【００５２】
更なる形式のグラフィック記号10は、この特定の場合にもフラップ11上に印刷された歪像的記号(anamorphic sign)により定義され得る。
【００５３】
歪像的記号により意味される処を更に良好に理解すべく、歪像的画像の定義が参考として提供される。
【００５４】
歪像的画像とは、当該画像が歪曲される如く平面上へと投影される画像であって、該画像自体が特定角度から視認されたときにのみ、元の画像により再現される主題を認識可能にするという画像である。
【００５５】
換言すると、歪像的なグラフィック記号が、補強フラップ11上に再現された如く直接的に観察されたとしても、それは歪曲して出現し、判読不能である。
【００５６】
故に、この場合に、上記記号の正しい再現物を獲得するために、その反射物は、蓋体7を厳密な開き角度まで移動させた後で観測されねばならない。
【００５７】
上記角度は、画像もしくは文字の完全な再現物を獲得するために、例えば、グラフィック記号10が作成された歪像の“程度”に従い、且つ、反射表面9のサイズにも基づいて、変更され得る。
【００５８】
別の形式のグラフィック記号10は、ホログラフ的記号である。
【００５９】
此処でも、画像もしくは文字により定義され得る上記ホログラフ的記号は、この場合、内側表面13上でも補強フラップ11上でもなく、反射表面9上に直接的に再現される。
【００６０】
上記ホログラフ的記号はまた、所定角度における入射光を以て、鏡映表面9が厳密な角度から観測されたときに、喫煙者により視認可能となる。
【００６１】
特に、各グラフィック記号10は喫煙者に対して伝達されるべき全ての情報を含み得るか、または、それは他の記号と組み合わされて全ての情報を実現しても良い。
【００６２】
換言すると、例えば、上記ホログラフ的記号は、喫煙者に対して伝達されるべき情報の一部を構成し得る。故に、伝達されるべき情報は、上述された他の形式のグラフィック記号10の反射画像10'の一つ以上に対してホログラフ的記号を組み合わせることにより完全とされ得る。
【００６３】
故に、上述されたパケット1によれば、健康警告が印刷された表面上に出現せずに、喫煙者の健康の保護に関する現在の規則に関して必要な情報が喫煙者に対して伝達されることが許容される。
【００６４】
更に、鏡映表面9は、情報を再現するために利用可能とされた領域に対して、すなわち、他の場合には直ちには認識され得ないであろう蓋体7の内側表面13に対して、喫煙者の注意を引くためだけにも使用され得る。
【００６５】
更に、情報を伝達すべく個別的にもしくは相互に組み合わせて使用され得る異なる複数の形式のグラフィック記号10を反射すべく鏡映表面9を使用することで、伝達されるべき情報の全体的なグラフィック的および視覚的な効果を高めることが可能である。
【００６６】
上述された発明は、産業的な利用が可能である。それは、発明概念の有効範囲から逸脱せずに、幾つかの様式で改変かつ適合化され得る。更に、本発明の詳細の全ては、技術的に等価的な要素に対して代用され得る。
【図１】
2015524369.tif 000003
【図２】
2015524369.tif 000004
【図３】
2015524369.tif 000005
【国際調査報告】
2015524369.tif 000006
2015524369.tif 000007
2015524369.tif 000008